【手続補正書】
【提出日】平成29年9月15日(2017.9.15)
【手続補正１】
【補正対象書類名】特許請求の範囲
【補正対象項目名】全文
【補正方法】変更
【補正の内容】
【特許請求の範囲】
【請求項１】
処理対象の画像から、罫線で囲まれた複数の認識セルを特定する特定手段と、
前記複数の認識セル内に含まれる文字画像に対して文字認識処理を実行することにより、認識文字を取得する文字認識手段と、
前記複数の認識セルを囲む枠と前記画像とを表示手段に表示する制御手段と、
前記表示された画像において、ユーザにより指定された位置を受付ける受付手段と、を有し、
前記制御手段は、前記受付手段で受付けた位置が前記複数の認識セルの１つの中である場合、当該受付けた位置の認識セルに対応する認識文字の編集指示をユーザから受付けるための編集領域と、当該受付けた位置の認識セルについての位置およびサイズをユーザが変更するためのハンドルと、を前記表示手段に表示することを特徴とする情報処理装置。
【請求項２】
前記編集領域には、当該受付けた位置の認識セルに対応する認識文字が表示されており、
前記編集領域に表示された前記認識文字を別の文字へと変更する指示を、ユーザから受付けた場合、
前記制御手段は、
前記表示されている画像から、当該受け付けた位置の認識セルに含まれている文字画像を削除し、代わりに、前記変更された別の文字に対応する文字画像を、前記認識セル内に配置することを特徴とする請求項１に記載の情報処理装置。
【請求項３】
前記編集領域において前記認識文字を別の文字へと変更した後に、他の認識セルが前記ユーザによって選択された場合、
前記制御手段は、前記表示されている画像から、当該受け付けた位置の認識セルに含まれている文字画像を削除し、代わりに、前記変更された別の文字に対応する文字画像を、前記認識セル内に配置し、
さらに、
前記指示された他の認識セルの位置およびサイズをユーザが変更可能にするための新たなハンドルを表示することを特徴とする請求項１に記載の情報処理装置。
【請求項４】
前記制御手段は、
前記認識セルに含まれている文字画像を削除して、前記別の文字に対応する文字画像を、前記認識セル内に配置する際、
前記別の文字に対応する文字画像を、前記削除される文字画像の位置に応じた位置に配置することを特徴とする請求項２に記載の情報処理装置。
【請求項５】
前記削除される文字画像の位置が前記認識セル内において左側に寄っている場合には、前記削除される文字画像の左側の位置を始点として、前記別の文字に対応する文字画像を配置し、
前記削除される文字画像の位置が前記認識セル内において右側に寄っている場合には、前記削除される文字画像の右側の位置を終点として、前記別の文字に対応する文字画像を配置する、ことを特徴とする請求項４に記載の情報処理装置。
【請求項６】
処理対象の画像から、罫線で囲まれた複数の認識セルを特定する特定工程と、
前記複数の認識セル内に含まれる文字画像に対して文字認識処理を実行することにより、認識文字を取得する文字認識工程と、
前記複数の認識セルを囲む枠と前記画像とを表示手段に表示する第１表示工程と、
前記表示された画像において、ユーザにより指定された位置を受付ける受付工程と、
前記受付工程で受付けた位置が前記複数の認識セルの１つの中である場合、当該受付けた位置の認識セルに対応する認識文字の編集指示をユーザから受付けるための編集領域と、当該受付けた位置の含む認識セルについての位置およびサイズをユーザが変更するためのハンドルと、を前記表示手段に表示する第２表示工程と、
を有することを特徴とする情報処理方法。
【請求項７】
前記編集領域には、当該受付けた位置の認識セルに対応する認識文字が表示されており、
前記編集領域に表示された前記認識文字を別の文字へと変更する指示を、ユーザから受付けた場合、前記表示されている画像から、当該受け付けた位置の認識セルに含まれている文字画像を削除し、代わりに、前記変更された別の文字に対応する文字画像を、前記認識セル内に配置することを特徴とする請求項６に記載の情報処理方法。
【請求項８】
前記編集領域において前記認識文字を別の文字へと変更した後に、他の認識セルが前記ユーザによって選択された場合、前記表示されている画像から、当該受け付けた位置の認識セルに含まれている文字画像を削除し、代わりに、前記変更された別の文字に対応する文字画像を、前記認識セル内に配置し、さらに、前記指示された他の認識セルの位置およびサイズをユーザが変更可能にするための新たなハンドルを表示することを特徴とする請求項６に記載の情報処理方法。
【請求項９】
前記認識セルに含まれている文字画像を削除して、前記別の文字に対応する文字画像を、前記認識セル内に配置する際には、
前記別の文字に対応する文字画像を、前記削除される文字画像の位置に応じた位置に配置することを特徴とする請求項７に記載の情報処理方法。
【請求項１０】
前記削除される文字画像の位置が前記認識セル内において左側に寄っている場合には、前記削除される文字画像の左側の位置を始点として、前記別の文字に対応する文字画像を配置し、
前記削除される文字画像の位置が前記認識セル内において右側に寄っている場合には、前記削除される文字画像の右側の位置を終点として、前記別の文字に対応する文字画像を配置する、ことを特徴とする請求項９に記載の情報処理方法。
【請求項１１】
請求項６乃至１０の何れか１項に記載の情報処理方法をコンピュータに実行させるためのコンピュータ読取り可能なプログラム。
【手続補正２】
【補正対象書類名】明細書
【補正対象項目名】０００５
【補正方法】変更
【補正の内容】
【０００５】
上記課題を解決するために、本発明の情報処理装置は、処理対象の画像から、罫線で囲まれた複数の認識セルを特定する特定手段と、前記複数の認識セル内に含まれる文字画像に対して文字認識処理を実行することにより、認識文字を取得する文字認識手段と、前記複数の認識セルを囲む枠と前記画像とを表示手段に表示する制御手段と、前記表示された画像において、ユーザにより指定された位置を受付ける受付手段と、を有し、前記制御手段は、前記受付手段で受付けた位置が前記複数の認識セルの１つの中である場合、当該受付けた位置の認識セルに対応する認識文字の編集指示をユーザから受付けるための編集領域と、当該受付けた位置の認識セルについての位置およびサイズをユーザが変更するためのハンドルと、を表示手段に表示することを特徴とする。
【手続補正３】
【補正対象書類名】明細書
【補正対象項目名】００２３
【補正方法】変更
【補正の内容】
【００２３】
さらに、制御部２０３は、一つの認識セルの中に複数の外接矩形を設定した場合には、外接矩形同士の距離が閾値３（例えば２０画素・・・０．５ｃｍ）以内であるか判定する。具体的には、制御部２０３は、外接矩形を一つ一つ選択し、選択された外接矩形からの距離が閾値３以内である外接矩形を検出する。
【手続補正４】
【補正対象書類名】明細書
【補正対象項目名】００２４
【補正方法】変更
【補正の内容】
【００２４】
さらに、制御部２０３は、当該選択された外接矩形からの距離が閾値３以内である外接矩形を検出した場合、当該検出した外接矩形と、当該選択された外接矩形とを統合する。即ち、制御部２０３は、両方の外接矩形に外接する新たな外接矩形を設定し、その代わり、当該選択された外接矩形と、当該検出された外接矩形とを削除する。
【手続補正５】
【補正対象書類名】明細書
【補正対象項目名】００２７
【補正方法】変更
【補正の内容】
【００２７】
以上の処理の後に設定されている外接矩形は、文字領域と呼ばれる。また、以上の処理を認識セル内の文字領域の特定と呼ぶ。制御部２０３は、認識セルの内部に存在する文字領域の位置を、当該認識セルに関連付けて保存部２０２に保存する。
【手続補正６】
【補正対象書類名】明細書
【補正対象項目名】００６７
【補正方法】変更
【補正の内容】
【００６７】
次にステップＳ１２０２で、制御部２０３は、編集後の文字の位置が認識セルの四辺の位置を超えたか判定する。超えた場合はステップＳ１２０３に進む。超えてない場合は、ステップＳ９０９に進む。
【手続補正７】
【補正対象書類名】明細書
【補正対象項目名】００７１
【補正方法】変更
【補正の内容】
【００７１】
＜第３の実施形態＞
第１の実施形態のステップＳ１１０２において、図１３の例のように罫線の無い表では罫線の位置に基づいて認識セルを取得することができないので、認識セルと文字領域の余白を計算できない。そのような場合でも簡単に基準線を設定できる制御部２０３の処理方法を図１５のフローチャートにより説明する。